(57)【特許請求の範囲】
【請求項１】
中空状の主軸に装着されるとともに該主軸内と連通する複数の噴風孔を周囲に穿設した精白転子と，
該精白転子の周囲に設けた除糠網との間に形成した精白室と、
本体部の機壁面に開閉蓋及び固定部によって密閉状に形成したケース体と，
該ケース体内の上部位置に臨ませて配設した，前記精白室から延設される糠回収流路の排出側端部と，
該排出側端部に対して着脱可能に接続する導入管を備えるとともに糠と空気とを分離する通気性材質からなって前記ケース体内に装着した糠袋と，
該糠袋によって分離された空気を排風するとともに，前記ケース体内において前記排出側端部が配設された位置よりも下方位置に配設した排風口と，
該排風口と前記中空主軸の端部とを連通する空気流路の間に配設したファンと、
を備えたことを特徴とする精米機。
【発明の詳細な説明】
【０００１】
【発明の属する技術分野】
本発明は，糠処理装置を備えた精米機に関するものである。
【０００２】
【従来の技術】
従来、精米機の糠処理装置としてはサイクロン装置方式のものが知られている。このサイクロン装置方式は、精米機内の精白室で発生する糠を、当該精米機内に設けたファンの吸引・送風作用により、前記精白室と連通した糠排出流路を介して機外のサイクロンに送り、該サイクロン内において糠を空気から分離し、分離した糠は当該サイクロンの下方に落下して容器等に収容し、空気はサイクロンの上部から大気中に排風するようにしたものである。
【０００３】
【発明が解決しようとする課題】
しかしながら、上記サイクロン装置方式は、サイクロンから排風される空気に当該サイクロン内では分離できない微粉状の糠が含まれてしまい、精米機周辺に微粉状の糠をまき散らすことになり、衛生的ではなかった。しかも、このサイクロン装置方式は、前記精白室で発生する糠は前記ファンを通ってサイクロンに搬送されるため、ファンの羽根及びそのケース内等に付着する糠を取り除くために清掃を行なわなくてはならなかった。
本発明は、上記問題点にかんがみ、精米機で発生する糠を精米機周辺にまき散らすことなく回収でき、かつ、ファンの清掃も不要とする精米機を提供することを技術的課題としたものである。
【０００４】
【課題を解決するための手段】
上記課題を解決するため、
請求項１に記載した本発明の精米機は、
中空状の主軸に装着されるとともに該主軸内と連通する複数の噴風孔を周囲に穿設した精白転子と，
該精白転子の周囲に設けた除糠網との間に形成した精白室と、
本体部の機壁面に開閉蓋及び固定部によって密閉状に形成したケース体と，
該ケース体内の上部位置に臨ませて配設した，前記精白室から延設される糠回収流路の排出側端部と，
該排出側端部に対して着脱可能に接続する導入管を備えるとともに糠と空気とを分離する通気性材質からなって前記ケース体内に装着した糠袋と，
該糠袋によって分離された空気を排風するとともに，前記ケース体内において前記排出側端部が配設された位置よりも下方位置に配設した排風口と，
該排風口と前記中空主軸の端部とを連通する空気流路の間に配設したファンと、
を備えるという技術的手段を講じた。
【０００５】
これにより、前記ファンが生成した空気は、空気流路を介して中空主軸の端部に導入された後、精白転子の噴風孔、精白室、糠回収流路、糠袋，排風口及び空気流路を介して前記ファンに戻され，精米機内を循環するので機外に排風されることがない。また、前記精白室で生じた糠混じりの空気は，前記糠袋を通過する際に糠が分離除去される。さらに、前記ファンには、前記糠袋内において糠が分離・除去された空気が通過するので、当該ファンの羽根及びそのケース内等に糠が付着することがない。また，前記糠袋に分離・回収された糠を取出す際は，前記開閉蓋を開けて糠袋自体を前記排出側端部から外して取出して行う。さらに，前記精白室から延設される糠回収流路の排出側端部がケース体内の上部位置に臨ませて配設してあるとともに，糠袋が前記排出側端部に対して導入管を介して接続してあるので，糠袋は吊り下げ状に配設される。
【０００６】
【０００７】
【０００８】
【０００９】
【００１０】
【発明の実施の形態】
以下、本発明の好適な実施の形態を説明する。図１は本発明の精米機１を示した斜視図である。上部には玄米を供給する供給タンク部２を備え、一側面には糠回収部３、他の側面には操作部４及び精米排出部５が備えてある。図２は図１に示した前記精米機１のＡ−Ａ’から見た縦側断面図であり、図３は図１に示した前記精米機１の矢印Ｂ方向から見た一部を断面にした縦側面図である。前記供給タンク部２は玄米を貯留するホッパー部２ａ及び該ホッパー部２ａの上方開口の開閉蓋２ｃから構成され、前記ホッパー２ａの下部には供給口２ｂが設けてある。該供給口２ｂの下方には当該供給口２ｂの開口を開閉するシャッター板６が備えてある。該シャッター板６には玄米を通過させる開口６ａが設けてあり、該シャッター板６には機壁７よりも外方に延びる棒状の操作ノブ８が連結してあり、この操作ノブ８の入出操作によって供給口２ｂが開閉できるようにしてある。
【００１１】
前記シャッター板６の下方には、玄米の供給量を調節する流量調節部９が備えてある。該流量調節部９は、前記シャッター板６の下方に設けた供給路１０内の流路幅を規制して調整する傾斜状の規制板９ａと、該調整板９ａを移動調節するダイヤル調整部９ｂから構成してある。前記供給路１０の下端の下方には中空状の主軸１１が横設してあり、該主軸１１は軸受１４，１５によって回転可能にしてある。該主軸１１には、前記供給路１０の下方位置に螺旋ロール１２が、該螺旋転子１２に隣接した位置に精白転子１３がそれぞれ装着してある。該精白転子１３には複数の噴風孔１３ａが穿設してあり、該各噴風孔１３ａは前記主軸１１に穿設した開口（図示せず）と連通する。そして、前記精白転子１３の外周方向には当該精白転子１３と所定の間隔をおいて除糠網１６が配設してあり、前記精白転子１３と前記除糠網１６との間は玄米を精白する精白室１７となる。なお、前記螺旋転子１２の外周方向には、前記供給路１０と前記精白室１７とを連通させるケーシング１２ａが構成してある。
【００１２】
前記精白室１７の精米排出口１８の排出側には白度調節部１８が設けてある。該白度調節部１９は、前記精米排出口１８の開口面積を規制する抵抗蓋１９ａと、該抵抗蓋１９ａに接続して前記機壁７の外方に延びる連結棒１９ｂと、該連結棒１９ｂに挿通し、前記精米排出口１８から排出される精米の圧力に対して抵抗蓋１９ａを後方から弾力的に支持するスプリング１９ｃと、前記機壁７の外方において前記連結棒１９ｂの他端と連結して前記精米排出口１８の開口面積を調節するダイヤル調節部１９ｄとから構成してある。前記精米排出口１８の下方には、当該精米排出口１８から排出される精米を機外に排出する前記精米排出部５を構成する傾斜状の流下樋２０が設けてある。
【００１３】
前記除糠網１６の外周方向には糠回収流路２１を構成し、前記糠回収部３を構成する後述するケース体２８内と連通させる。前記主軸１１おける前記精白転子１３が設けられた側の反対側にはプーリー２２が軸着してあり、また、該プーリー２２は動力伝達用のベルトを介してモータ２３の出力軸に軸着したプーリー２４と連結してある。これにより、前記モータ２３の駆動出力によって前記主軸１１が回転する。
【００１４】
前記精米機１の下部にはファン２５を設ける。該ファン２５は、ケース２５ａ、該ケース２５ａ内に設けた回転可能な羽根２５ｂ及び該羽根２５ｂを駆動させるモータ２５ｃを備える。このファン２５の排風側は、空気流路２６を介して前記主軸１１における前記プーリー２２側の開口端部１１ａと接続する。一方、前記ファン２５の吸引側は空気流路２７を介し、前記糠回収部３を構成する後述するケース体２８内と連通する。
【００１５】
前記糠回収部３の外周は、精米機１の本体部１ａの機壁７と接続した密閉状のケース体２８で構成する。該ケース体２８は当該ケース体２８の一側面をちょうつがい２８ｄによって開閉可能にした開閉蓋２８ａと、前記機壁７に密閉状に固着した固定部２８ｂとから構成し、該開閉蓋２８ａと固定部２８ｂとの接合縁部にはシール部材２８ｃを配設して前記開閉蓋２８ａの閉状態におけるこの接合部分の密閉度を確保する。また、前記開閉蓋２８ａと固定部２８ｂとの接合部分付近には、前記開閉蓋２８ａの閉状態を保持するための尾錠部材２８ｅを設ける。
【００１６】
前記ケース体２８の内部には、糠と空気とを分離するフィルター部材２９を設ける。このフィルター部材２９は糠を通過させない、硬質材料又は軟質材料の通気性材質から形成した糠袋体とするのがよい。本実施の形態では、前記糠袋体は、袋状のもの（以下、「糠袋２９」という。）を用いて説明するが、この糠袋に限らず上記材質からなる容器タイプやカセットタイプなどでもよい。前記糠袋２９は、前記精白室１７から搬送される糠混じりの空気を当該糠袋２９内に入れるための導入口２９ａが接続する。該糠袋２９の導入口２９ａは前記ケース体２８内に臨ませた糠回収流路２１の開口部（排出側端部）２１ａに対して前記糠混じりの空気が漏れ出さないように接合し、また、糠袋２９は当該開口部２１ａに対して着脱自在となるように構成するのがよい。図３に示したように糠袋２９の着脱自在の形態は、例えば、前記導入口２９ａに導入管２９ｂの一端側を接続し、該導入管２９ｂの他端にフランジ２９ｃを形成し、前記機壁７における開口部２１ａの周辺部に形成した係止溝３０に対して前記フランジ２９ｃを挿脱自在とする。またこの他、図４に示したように、糠袋２９の導入口２９ａの縁周部と機壁７との間に着脱自在の布製のテープ４５を介在させた構成としてもよい。前記ケース体２８内において、前記開口部２１ａよりも下方位置の機壁７には開口部（排風口）を穿設し、該開口部は前記空気流路２７を介して前記ファン２５と接続し、該ファン２５とケース体２８内とを連通させてある。なお、前記開口部２１ａと連通する糠袋２９内において、糠は当該糠袋２９の下方から堆積するため、前記開口部２１ａを設ける位置は前記ケース体２８内に面した機壁７の上方位置とすることにより、糠袋２９を吊り下げ状に配設して糠袋２９の通風面積を広くすることができ、かつ、糠を多く収容することができる。
【００１７】
図４は前記糠回収部３及び本体部１ａの縦側断面図であり、糠袋２９内に溜まった糠量を判定する重量検知式の糠溜り量検知部３１が示してある。該糠溜り量検知部３１は、前記糠袋２９が載る載置台３２と、該載置台３２の裏面とケース体２８の内底面との間に介在させたスプリング３３と、前記載置台３２に装着した指示矢印３４ａ及び糠溜り量目盛り部３４ｂからなる表示部３４（図５参照）とから構成してあり、前記糠袋２９内に溜まった糠の重量を前記表示部３４に表示させるようにしてある。
【００１８】
図４及び図５に示した前記糠溜り量検知部３１は重量検知式のものであったが、図６には、電流量検知式の前記糠溜り量検知部３５が示してある。該糠溜り量検知部３５は、例えば、前記ファン２５のモータ２５ｃに供給される電源流路間に介在させた例えばＣＴなどの電流検出回路３６と、該電流検出回路３６に接続して当該電流検出回路３６からの検出信号に基いて電流量を検知する電流変換回路３７と、該電流変換回路３７に接続して電流量の大小に応じて指示矢印３８ａを駆動させる駆動部（図示せず）及び糠溜り量目盛り部３８ｂからなる表示部３８とから構成し、前記電流量の大小に応じて糠袋２９内に溜まった糠量を表示するようにしたものである。なお、図６中の符号３９は電源を示す。
【００１９】
さらに、圧力検知式の糠溜り量検知部４０を説明する。該糠溜り量検知部４０は、例えば図７に示したように、前記糠回収部３とファン２５とを連通する空気流路２７に管路４１を接続し、該管路４１に表示装置４２を接続した構成とする。該表示装置４２は、前記管路４１と接続する開口４２ａを備えた密閉箱体４２ｂと、該密閉箱体４２ｂの内部を二分割し、前記ファン２５の吸引作用を受けて前記開口４２ａ方向にスライド可能にした中仕切板４２ｃと、前記密閉箱体４２ｂにおける開口４２ａを設けた面と対向した面４２ｄと前記中仕切板４２ｃとの間に設けて当該中仕切板４２ｃを面４２ｄ側に引き寄せるためのスプリング４２ｅと、前記中仕切板４２ｃに取り付けた指示矢印４２ｆと、該指示矢印４２ｆの移動に合わせて糠袋２９内に溜まった糠量を示すための糠溜り量目盛り部４２ｇとから構成し、前記ファン２５の吸引作用の強弱によって糠袋２９内に溜まった糠量を示すようにしてある。また、上記管路４１は前記ファン２５からの風が送風される側の空気流路、例えば、前記空気流路２６に接続し、管路４１に表示装置４３を接続するようにしてもよい。該表示装置４３は前記表示装置４２と略構成は同じであるが、前記管路４１を接続する面を、前記表示装置４２で説明した面４２ｄとする点が構成上異なる。これは、密閉箱体４３ｂ内には、前記表示装置４２とは逆に、前記空気流路２６及び管路４１を介して前記ファン２５の送風作用が働くためである。
【００２０】
なお、本発明で言う送風部４４とは、前記ファン２５、空気流路２７及び空気流路２６を示す。
【００２１】
次に、本発明の精米機１の作用を説明する。前記ホッパー部２ａに玄米を貯留して前記モータ２３の駆動を開始し、前記主軸１１を回転させる。この後、前記シャッター板６を開状態にして玄米を前記供給路１０を介して下方に供給する。供給された玄米は、前記螺旋転子１２の回転作用によって精白室１７に送り込まれ、該精白室１７において精白転子１３の回転により攪拌され、玄米同士の粒々摩擦等の作用によって精白されて前記精米排出口１８及び流下樋２０を介して機外に排出される。
【００２２】
一方、前記モータ２３の駆動開始と同期して前記ファン２５も駆動開始する。このファン２５の駆動により、前記空気流路２６を介して前記主軸１１の中空部内に風が圧送され、この風は前記各噴風孔１３ａから精白室１７内に噴風される。この精白室１７内への噴風により、精白中の米粒表面に付着した糠を吹き払い、前記精米排出口１８から排出される精米の糠切れをよくする。前記精白室１７内で発生した糠は、前記ファン２５の吸引作用も受けて前記除糠網１６の網目を通過し、前記糠回収流路２１及び導入管２９ｂを介して前記糠回収部３の糠袋２９内に糠混じりの空気となって導入される。この糠混じりの空気は前記ケース体２８内における糠袋２９の外周方向からの吸引作用を受け、糠を通過させない通気性材質から形成した前記糠袋２９の表面から空気だけが通過して前記空気流路２７を介して前記ファン２５内に吸引される。このように、ファン２５に吸引される空気は糠が除去された空気なので、当該ファン２５のケース２５ａ及び羽根２５ｂに糠が付着せず、衛生的であり、ファン２５内の清掃も不要である。
【００２３】
次に、前記重量検知式の糠溜り量検知部３１の作用を説明する（図４参照）。該糠溜り量検知部３１は、前記糠袋２９内に溜まった糠の重量に応じて載置台３２が下がり、この載置台３２に装着した指示矢印３４ａが示す糠溜り量目盛り部３４ｂの目盛りによって糠袋２９内に溜まった糠量が表示されるようになっている。これにより、精米機１を使用する使用者は糠袋２９内の糠量を精米運転中において知ることができるので、糠袋２９内の糠収容量を超えて精米機１内の糠詰りによる機械故障を防止することができる。
【００２４】
次に、電流量検知式の前記糠溜り量検知部３５の作用を説明する。前記糠溜り量検知部３５は、前述のように、前記ファン２５のモータ２５ｃに供給される電流を前記電流検出回路３６で検出し、前記電流変換回路３７で電流量を検知し、前記表示部３８で前記糠袋２９内に溜まった糠量を表示するようにしてある。この電流量検知式の前記糠溜り量検知部３５による糠袋２９内の糠溜まり量検知の原理を説明する。これは、前記糠袋２９内に糠が徐々に溜まるに連れて、前記糠袋２９における通風面積（フィルター面積）は減少し、この通風面積の減少に伴って前記ファン２５の吸引負荷が増加する。この吸引負荷の増加に伴って前記モータ２５ｃに流れる電流量は増加するので、この電流量を基に前記糠袋２９内に溜まった糠量を推測することとしたものである。この電流量検知式の前記糠溜り量検知部３５によっても、前述のように、精米機１を使用する使用者は糠袋２９内の糠量を精米運転中において知ることができるので、糠袋２９内の糠収容量を超えて精米機１内の糠詰りによる機械故障を防止することができる。また、この電流量検知式の糠溜り量検知部３５は、精米機１における前記ファン２５からの送風循環流路内に詰りが生じたときには、これを使用者に知らしめるべく、前記表示部３８に適当な表示をしておくようにしてもよい。
【００２５】
さらに、圧力検知式の糠溜り量検知部４０の作用を説明する。該糠溜り量検知部４０は、前記ファン２５の吸引作用又は送風作用の強弱によって糠袋２９内に溜まった糠量を検知するものであり、原理としては、前記糠袋２９内に糠が徐々に溜まるに連れて、前記糠袋２９における通風面積（フィルター面積）は減少し、この通風面積の減少に伴って前記ファン２５の吸引量が低下する。この吸引量の低下に伴って前記ファン２５の送風量も低下する。これにより、前記糠溜り量検知部４０を前記空気流路２７に接続して設けた場合には、前記密閉箱体４２ｂ内に加わる吸引作用が低下するに連れて、密閉箱体４２ｂ内へ加わる負圧が小さくなり、図７で示したように、前記中仕切板４２ｃに接続した指示矢印４２ｆが前記スプリング４２ｅ方向に引き寄せられ、前記糠溜り量目盛り部４２ｇの満量を示す側に移動することになる。一方、前記糠溜り量検知部４０を前記空気流路２６に接続して設けた場合には、密閉箱体４３ｂ内へ加わる静圧が小さくなり前記糠溜り量目盛り部４３ｇの満量を示す側に移動することになる。この圧力検知式の糠溜り量検知部４０の効果は、前述の電流量検知式の糠溜り量検知部３５の効果と同じ効果を奏する。なお、圧力検知式の糠溜り量検知部４０としては、上記の形態に限るものではなく、前記空気流路２７又は空気流路２６に公知の差圧計を接続して、この側定値に応じて糠袋２９内に溜まった糠量を表示するようにしてもよい。
【００２６】
【発明の効果】
本発明の精米機は、ファンによって生成された空気が、空気流路を介して中空主軸の端部に導入された後、精白転子の噴風孔、精白室、糠回収流路、糠袋，排風口及び空気流路を介して前記ファンに戻され，精米機内を循環して機外に排風されることがないので，糠が機外に漏れ出してまき散ることがなく，衛生的である。また、前記精白室で生じた糠混じりの空気は，前記糠袋を通過する際に糠が分離除去されるので，ファンには糠が除去された空気が吸引されることになり，羽根やそのケース内等に糠が付着することがなく、清掃が不要である。さらに，前記糠袋に溜まった糠の取り出し作業は，前記開閉蓋を開けて糠袋ごと取り外して行えるので，作業が簡単である。また，前記精白室から延設される糠回収流路の排出側端部がケース体内の上部位置に臨ませて配設してあるとともに，糠袋が前記排出側端部に対して導入管を介して接続してあるので，糠袋は吊り下げ状に配設され，よって，糠袋の通風面積を広くすることができるとともに糠を多く収容することができる。
【００２７】
【００２８】
【図面の簡単な説明】
【図１】  本発明の精米機を示した斜視図である。
【図２】  図１に示した精米機のＡ−Ａ’から見た縦側断面図である。
【図３】  図１に示した精米機の矢印Ｂ方向から見た一部を断面にした縦側面図である。
【図４】  重量検知式の糠溜り量検知部を示した図である。
【図５】  本発明の精米機の正面図である。
【図６】  電流量検知式の糠溜り量検知部を示した図である。
【図７】  圧力検知式の糠溜り量検知部を示した図である。
【符号の説明】
１  精米機
１ａ  本体部
２  供給タンク部
２ａ  ホッパー部
２ｂ  供給口
２ｃ  開閉蓋
３  糠回収部
４  操作部
５  精米排出部
６  シャッター板
６ａ  開口
７  機壁
８  操作ノブ
９  流量調節部
９ａ  規制板
９ｂ  ダイヤル調整部
１０  供給路
１１  主軸
１１ａ  開口端部
１２  螺旋転子
１２ａ  ケーシング
１３  精白転子
１３ａ  噴風孔
１４  軸受
１５  軸受
１６  除糠網
１７  精白室
１８  精米排出口
１９  白度調節部
１９ａ  抵抗蓋
１９ｂ  連結棒
１９ｃ  スプリング
１９ｄ  ダイヤル調節部
２０  流下樋
２１  糠回収流路
２１ａ  開口部（排出側端部）
２２  プーリー
２３  モータ
２４  プーリー
２５  ファン
２５ａ  ケース
２５ｂ  羽根
２５ｃ  モータ
２６  空気流路
２７  空気流路
２８  ケース体
２８ａ  開閉蓋
２８ｂ  固定部
２８ｃ  シール部材
２８ｄ  ちょうつがい
２８ｅ  尾錠部材
２９  フィルター部材（糠袋）
２９ａ  導入口
２９ｃ  フランジ
２９ｂ  導入管
３０  係止溝
３１  糠溜り量検知部
３２  載置台
３３  スプリング
３４  表示部
３４ａ  指示矢印
３４ｂ  糠溜り量目盛り部
３５  糠溜り量検知部
３６  電流検出回路
３７  電流変換回路
３８  表示部
３８ａ  指示矢印
３８ｂ  糠溜り量目盛り部
３９  電源
４０  糠溜り量検知部
４１  管路
４２  表示装置
４２ａ  開口
４２ｂ  密閉箱体
４２ｃ  中仕切板
４２ｄ  面
４２ｅ  スプリング
４２ｆ  指示矢印
４２ｇ  糠溜り量目盛り部
４３  表示装置
４３ｂ  密閉箱体
４３ｇ  糠溜り量目盛り部
４４  送風部
４５  布製のテープ
【図１】
0003714464.tif 000002
【図２】
0003714464.tif 000003
【図３】
0003714464.tif 000004
【図４】
0003714464.tif 000005
【図５】
0003714464.tif 000006
【図６】
0003714464.tif 000007
【図７】
0003714464.tif 000008